(57)【特許請求の範囲】
【請求項１】
筐体と、
前記筐体に配置されるプロセッサーと、
前記筐体に配置され、前記プロセッサーと接続し、デフォルト値を有する記憶ユニットと、
前記筐体に配置され、前記プロセッサーと接続し、検出値を出力して前記記憶ユニットに記憶することに適する検知ユニットと、を有し、
前記プロセッサーは、前記デフォルト値と前記検出値を比較することによって装着状態または非装着状態であると判断し、
前記検知ユニットは温度センサーであって、前記デフォルト値は環境温度参考値であって、前記検出値が前記デフォルト値と同じになる時に、前記非装着状態であると判断し、前記検出値が前記デフォルト値と異なる時に、前記装着状態であると判断する
ことを特徴とする装着装置。
【請求項２】
前記装着状態は第一アプリケーションを起動することに用いられ、前記非装着状態は第二アプリケーションを起動することに用いられる請求項１に記載の装着装置。
【請求項３】
前記筐体に配置され、かつ前記プロセッサー、前記記憶ユニット及び前記検知ユニットと接続する電源供給ユニットをさらに有することを特徴とする請求項２に記載の装着装置。
【請求項４】
前記検出値は前記デフォルト値と同じになる時に、前記非装着状態であると判断し、前記検出値は前記デフォルト値と異なる時に、前記装着状態であると判断することを特徴とする請求項１に記載の装着装置。
【請求項５】
デフォルト値を設定するステップと、
検知ユニットを用いて検出値を検出し出力するステップと、
前記デフォルト値と前記検出値を比較することによって装着状態または非装着状態であると判断するステップとを含み、
前記検知ユニットは温度センサーであって、前記デフォルト値は環境温度参考値であって、前記検出値が前記デフォルト値と同じになる時に、前記非装着状態であると判断し、前記検出値が前記デフォルト値と異なる時に、前記装着状態であると判断する
ことを特徴とする装着装置の検知方法。
【請求項６】
前記装着状態は第一アプリケーションを起動することに用いられ、前記非装着状態は第二アプリケーションを起動することに用いられることを特徴とする請求項５に記載の装着装置の検知方法。
【請求項７】
プロセッサーと、記憶ユニットと、検知ユニットと、電源供給ユニットとを含む装着装置を提供するステップと、
前記記憶ユニットにおいて前記デフォルト値を設定するステップと、
前記検知ユニットを実行することによって前記検出値を検出して前記記憶ユニットに記憶し、
前記プロセッサーによって前記デフォルト値と前記検出値を比較することによって前記装着状態または非装着状態であると判断することを特徴とする請求項５に記載の装着装置の検知方法。
【請求項８】
前記検出値が前記デフォルト値と同じになる時に、前記非装着状態とし、前記検出値が前記デフォルト値と異なる時に、前記装着状態とすることを特徴とする請求項７に記載の装着装置の検知方法。
【発明の詳細な説明】
【技術分野】
【０００１】
本発明は、装着装置及びそれの検知方法と関する。特に装着状態を確認する装着装置及びそれの検知方法と関する。
【背景技術】
【０００２】
技術の進歩に従い、様々な装着装置の発展も進んでいる。そのため、装着装置の機能に対する需要も増えている。例えば、装着装置は関連ハードウェア及びアプリケーションと連携することによって身体機能状況を測定する機能を有する。しかし、ユーザーは、装着装置の不正確な装着によって不正確な測定結果をもたらし、評価上の錯誤に導く可能性がある。また、ユーザーが装着装置を装着していない時に、部分的に関連のアプリケーションを起動することでも電力の浪費をもたらしている。
【発明の概要】
【発明が解決しようとする課題】
【０００３】
上記問題を解決するために、本発明の目的の一つは、装着状態確認と省電力効果を有する装着装置及び検知方法を提供することである。
【課題を解決するための手段】
【０００４】
上記目的及びその他の目的に基づいて、本発明は筐体、プロセッサー、記憶ユニット、検知ユニット及び電源供給ユニットを含む装着装置を提供する。プロセッサーは筐体に配置される。記憶ユニットは筐体に配置され、プロセッサーと接続し、デフォルト値を有する。検知ユニットは、筐体に配置され、プロセッサーと接続し、検出値を出力して記憶ユニットに記憶することに適する。電源供給ユニットは筐体に配置され、プロセッサー、記憶ユニット及び検知ユニットと接続する。その中に、プロセッサーは、デフォルト値と検出値を比較することによって装着状態または非装着状態を行う。
【０００５】
上記内容において、装着状態は第一アプリケーションを起動することに用いられ、非装着状態は第二アプリケーションを起動することに用いられる。
【０００６】
上記内容において、装着状態または非装着状態を行う前に警告メッセージを出す。
【０００７】
前記内容において、検知ユニットは温度センサーであって、デフォルト値は３５〜３７であって、検出値はデフォルト値と同じになる時に、装着状態とし、検出値は前記デフォルト値と異なる時に、非装着状態とする。
【０００８】
前記内容において、検知ユニットは温度センサーであって、デフォルト値は環境温度参考値であって、検出値はデフォルト値と同じになる時に、非装着状態とし、検出値はデフォルト値と異なる時に、装着状態とする。
【０００９】
前記内容において、検知ユニットは圧力センサー、容量式センサー、湿度センサー、超音波センサー、赤外線センサーまたは照度センサーとなり得る。
【００１０】
上記目的及びその他の目的に基づいて、本発明は装着装置の検知方法を提供している。検知方法は下記ステップを含む。プロセッサー、記憶ユニット、検知ユニット及び電源供給ユニットを含む装着装置を提供するステップと、記憶ユニットにデフォルト値を記憶するステップと、検知ユニットを実行することによって検出値を出力して記憶ユニットに記憶するステップと、プロセッサーによってデフォルト値と検出値を比較して装着状態または非装着状態を行うステップとを有する。
【００１１】
上記内容において、装着状態は第一アプリケーションを起動することに用いられ、非装着状態は第二アプリケーションを起動することに用いられる。
【００１２】
上記内容において、装着状態または非装着状態を行う前に警告メッセージを出す。
【００１３】
前記内容において、検知ユニットは温度センサーであって、デフォルト値は３５〜３７であって、検出値はデフォルト値と同じになる時に、装着状態とし、検出値は前記デフォルト値と異なる時に、非装着状態とする。
【００１４】
前記内容において、検知ユニットは温度センサーであって、デフォルト値は環境温度参考値であって、検出値はデフォルト値と同じになる時に、非装着状態とし、検出値はデフォルト値と異なる時に、装着状態とする。
【００１５】
前記内容において、検知ユニットは圧力センサー、容量式センサー、湿度センサー、超音波センサー、赤外線センサーまたは照度センサーとなり得る。
【００１６】
上記目的及びその他の目的に基づいて、本発明はもう一つの装着装置を提供する。装着装置は、筐体、プロセッサー、記憶ユニット、第一検知ユニット、第二検知ユニット及び電源供給ユニットを含む。プロセッサーは筐体に配置される。記憶ユニットは筐体に配置され、かつプロセッサーに接続する。第一検知ユニットは筐体の第一面に配置され、かつプロセッサーと接続する。第一検知ユニットは筐体の第一面に配置され、かつプロセッサーと接続する。第一検知ユニットは第一検出値を出力して記憶ユニットに記憶することに適する。第二検知ユニットは筐体の第二面に配置され、プロセッサーと接続する。第二検知ユニットは第二検出値を出力して記憶ユニットに記憶することに適する。電源供給ユニットは筐体に配置され、かつプロセッサー、記憶ユニット、検知ユニットと接続する。その中に、プロセッサーは第一検出値と第二検出値を比較することによって装着状態または非装着状態を行う。
【００１７】
上記内容において、装着状態は第一アプリケーションを起動することに用いられ、非装着状態は第二アプリケーションを起動することに用いられる。
【００１８】
上記内容において、装着状態または非装着状態を行う前に警告メッセージを出す。第一検知ユニットと第二検知ユニットは温度センサーであって、第一検出値は第二検出値と同じになる時に、非装着状態とし、第一検出値は第二検出値と異なる時に、装着状態とする。
【００１９】
前記内容において、検知ユニットは圧力センサー、容量式センサー、湿度センサー、超音波センサー、赤外線センサーまたは照度センサーとなり得る。
【００２０】
上記目的及びその他の目的に基づいて、本発明はもう一つの装着装置の検知方法を提供する。検知方法は下記ステップを含む。プロセッサー、記憶ユニット、第一検知ユニット、第二検知ユニット及び電源供給ユニットを含む装着装置を提供するステップと、第一検知ユニットを実行することによって第一検出値を出力して記憶ユニットに記憶するステップと、第二検知ユニットを実行することによって第二検出値を出力して記憶ユニットに記憶するステップと、プロセッサーによって第一検出値と第二検出を比較することによって装着状態または非装着状態を行う。
【００２１】
上記内容において、装着状態は第一アプリケーションを起動することに用いられ、非装着状態は第二アプリケーションを起動することに用いられる。
【００２２】
上記内容において、装着状態または非装着状態を行う前に警告メッセージを出す。
【００２３】
前記内容において、第一検知ユニットと第二検知ユニットは温度センサーであって、前記第一検出値は第二検出値と同じになる時に、非装着状態とし、第一検出値は第二検出値と異なる時に、装着状態とする。
【００２４】
前記内容において、第一検知ユニットと第二検知ユニットは圧力センサー、容量式センサー、湿度センサー、超音波センサー、赤外線センサーまたは照度センサーとなり得る。
【００２５】
上記内容に基づいて、本発明の装着装置はプロセッサーによって検知ユニットに対して入力された検出値と、記憶ユニットに設けられたデフォルト値とを比較する。または、人体と接する検知ユニットと環境と接する検知ユニットの出力値を比較する。それによって装着状態または非装着状態を行い、さらに起動状態を維持するアプリケーションを決める。そうすると、装着装置が非装着状態で関連アプリケーションを続けることによる電力の浪費を避けることができる。勿論、ユーザーは使用過程において、装着方法または位置錯誤によって装着装置の装着判断が間違ってしまう可能性もある。そのため、本発明の装着装置は装着状態または非装着状態を行う前に警告メッセージを出してユーザーに知らせることによって、即時的に装着方法または装着位置を調整し、さらに正確な検知結果を取得して有効な装着判断作業を得る。
【００２６】
本発明の上記特徴と長所をさらに分かりやすく説明するために、下記内容は望ましい実施例を挙げて、図面に合わせて詳しく説明する。
【図面の簡単な説明】
【００２７】
【図１】本発明の第一実施例の装着装置を示す図である。
【図２】ユーザー（人体）が図１の装着装置を装着する状態を示す図である。
【図３】図１の装着装置の検知方法のフローチャートである。
【図４】本発明の第二実施例の装着装置を示す図である。
【図５】ユーザー（人体）が図４の装着装置を装着する状態を示す図である。
【図６】図４の装着装置の検知方法のフローチャートである。
【発明を実施するための形態】
【００２８】
ここで本発明の装置の実施例を挙げる。図１は本発明の第一実施例の装着装置を示す図であり、図２はユーザー（人体）が図１の装着装置を装着する状態を示す図である。図１と図２を同時に参照し、本実施例の装着装置１０は筐体１１、プロセッサー１２、記憶ユニット１３、検知ユニット１４及び電源供給ユニット１５を含む。プロセッサー１２、記憶ユニット１３、検知ユニット１４及び電源供給ユニット１５は筐体１１に配置される。記憶ユニット１３はプロセッサー１２と接続され、かつデフォルト値を有する。検知ユニット１４はプロセッサー１２と接続し、検知ユニット１４は検出値を出力して記憶ユニット１３に記憶することに適する。電源供給ユニット１５はプロセッサー１２、記憶ユニット１３、検知ユニット１４と接続する。特に、本実施例においてプロセッサー１２はデフォルト値と検出値を比較することによって装着状態または非装着状態を行うことができる。
【００２９】
詳しく説明すると、本実施例の装着装置１０は人体の適切な部分（例えば腕）に装着されることに適する。装着装置１０は、例としてスマートウォッチ、スマートリング、スマートグラスまたは他の人体に装着できる電子装置であり得る。例として、検知ユニット１４は温度センサーであって、検出値とデフォルト値は温度値である。ここに、例として、デフォルト値は３５〜３７℃との間となり、人体の正常体温の範囲である。検知ユニット１４は人体の放射熱を検知することができるため、検知ユニット１４が出力する検出値は３５〜３７℃との間となる時に、プロセッサー１２によって記憶ユニット１３にあるデフォルト値と、検知ユニット１４が出力して記憶ユニット１３に記憶した検出値とを比較して、検出値はデフォルト値と同じになる結果を得て、装着装置１０は装着状態となっていると判断し、装着状態作業を行う。逆に、検出値はデフォルト値と異なる時に、装着装置１０は非装着状態となっていると判断し、非装着状態作業を行う。
【００３０】
また、デフォルト値は環境温度参考値となると設定してもよい。例えば、ユーザーが室内にいる場合、装着装置１０は無線ネットワークまたは他の類似方法によって環境温度参考値を取得できる。続いて例としてプロセッサー１２によって２５〜３０℃の間の室内温度を取得し、またはユーザーは室外にいればプロセッサー１２は２８℃〜３５℃の間の室外温度に設定してから、プロセッサー１２は記憶ユニット１３にあるデフォルト値と、検知ユニット１４が出力して記憶ユニット１３に記憶した検出値とを比較してから、検出値はデフォルトと同じになる結果を得て、装着装置１０は非装着状態となっていると判断し、非装着状態作業を行う。逆に、検出値はデフォルト値と異なり、または言い換えれば、検出値はデフォルト値よりやや高い時に、装着１０は装着状態と判断して装着状態作業を行う。
【００３１】
また、ユーザーは高温の場所にいる時に、プロセッサー１２は環境温度参考値は人体体温より高い（例えば３８℃以上）と設定できる。検出値はデフォルト値よりやや低いとなると、装着装置１０は装着状態となっていると判断して装着状態作業を行う。
【００３２】
上記内容を踏まえ、本実施例の装着状態作業は、第一アプリケーションの起動に用いられてもよく、第一アプリケーションは関連アプリケーションとリンクできる。例として人体生理機能モニタリングアプリケーションであって、またはユーザーが装着装置１０はスマートグラスとなる場合、第一アプリケーションは仮想現実、仮想現実の拡充アプリケーション及び他の類似の関連アプリケーションとリンクできる。非装着状態作業は第二アプリケーションの起動に用いられ、第二アプリケーションは、スクリーンサーバー、電源管理アプリケーションまたは他の類似のアプリケーションをリンクしてもよい。
【００３３】
プロセッサー１２がデフォルト値と検出値を比較する時に、検知ユニット１４は電源供給ユニット１５が提供する電源を受け続けて作業を行う。上記内容から分かるが、プロセッサー１２が非装着状態を行う時に、第二アプリケーションによって直接に必須ではないハードウェア作業を閉じる。例えば直接にスクリーンを閉じ、または第二アプリケーションによって電源管理アプリケーションをリンク起動させ、電源供給ユニット１５に節電電源供給作業を実行させる。そうすると、本実施例の装着装置は非装着状態の時に電源の浪費を避けることができる。
【００３４】
また、第一アプリケーションは特定のアプリケーションの起動に用いられてもよく、第二アプリケーションは前記特定のアプリケーションまたは他のアプリケーションの中止や起動に用いられてもよい。歩数計測アプリケーションの例として、装着装置１０は装着状態となっている時に、第一アプリケーションが歩数計測アプリケーションをリンクしてユーザーの歩数をカウントし始め、装着装置１０は非装着状態となっている時に、第二アプリケーションは同様に歩数計測アプリケーションをリンクして、ユーザーの歩数カウントを停止する。勿論、第二アプリケーションは他のアプリケーションをリンクしてもよく、類似の実施方法はユーザーの使用方法に応じて調整する。
【００３５】
ここで注意すべきなことは、ユーザーは本実施例の装着装置１０を使用する過程の中に、時々装着方法または不正確な位置によって装着判断の錯誤に導く。そのため、本実施例の装着装置１０は、装着状態または非装着状態を行う前に警告メッセージを出してユーザーに知らせて、ユーザーに即時的に装着方法や装着位置を調整させ、さらに正確な検知結果を取得して有効な判断作業を得て、またはユーザーに装着装置１０は省電力状態に入ったことを知らせる。前記警告メッセージは例として、音声メッセージ、発光メッセージ、文字メッセージ、またはバイブレーションメッセージなどのユーザーに知らせる方法であり得る。
【００３６】
もう一つの望ましい実施例において、検知ユニット１４は圧力センサーであって、デフォルト値は例として１０１,３２５Ｐａ（即ち大氣圧）である。そのため、検知ユニット１４が出力する検出値も１０１,３２５Ｐａ（大氣圧）となっている時に、プロセッサー１２は検出値がデフォルト値と同じになることに基づいて装着装置１０は非装着状態となっていると判断して、非装着状態を行う。詳しく説明すると、装着状態１０は非装着状態となっている時に、検知ユニット１４は大気圧を検知できるので、検知ユニット１４が検知した検出値は大気圧（デフォルト値）と同じになり、プロセッサー１２はさらに検出値がデフォルト値と同じになるか否かに基づいて装着装置１０は非装着状態となっていると判断することができる。
【００３７】
逆に、検出値はデフォルト値と異なる時に、プロセッサー１２は装着装置が装着状態となっていると判断する。詳しく言うと、装着装置１０が装着状態となっている時に、検知ユニット１４は大気圧と人体が装着装置１０にかけた圧力の合計圧力を検知するため、検知ユニット１４が検知した検出値は大気圧（デフォルト値）より大きく、プロセッサー１２はさらに検出値はデフォルト値と異なるという比較に基づいて装着装置１０は装着状態となっていると判断することができる。
【００３８】
ここでは本発明の一つの方法実施例を挙げる。図３は図１の装着装置の検知方法のフローチャートである。本実施例の装着装置の検知方法は、下記ステップを有する。まずは、ステップS１１のように装着装置を提供し、前記装着装置はプロセッサー、記憶ユニット、検知ユニット及び電源供給ユニットを含む。続いてステップS１２のように、前記記憶ユニットにデフォルト値を設ける。また、ステップS１３のように、前記検知ユニットを実行することによって検出値を出力して前記記憶ユニットに記憶する。その後はステップS１４のように、プロセッサーによって前記デフォルト値と前記検出値を比較することによって装着状態または非装着状態を行う。勿論、前記非装着状態を行う前に警告メッセージを出して使用者に知らせる。もしユーザーは装着方法または不正確な位置によって装着状態判断が間違ってしまえば、即時的に装着方法や装着位置を調整して正確な検知結果を取得して有効な判断作業を得る。
【００３９】
上記内容を踏まえ、本発明の望ましい第一実施例の検知ユニットは温度センサーを使用しており、上記内容に基づいて分かるように、人体は放射熱があるため、人体の体温が筐体に伝わる時に、筐体温度は人体温度に近づき始め、本発明が開示した装着装置の検知方法によって装着装置は人体に装着されているかどうかを判断する。そのため、本発明は過去にユーザーの不正確な装着による間違った検知結果で装着状態判断の錯誤に導く問題を解決し、正確な装着状態判断の結果に達し、さらに省エネの効果を実現している。
【００４０】
もう一つの本発明の装置の実施例を挙げる。図４は本発明の第二実施例の装着装置を示す図であり、図５はユーザー（人体）が装着装置を装着する状態を示す図である。図４及び図５を同時に参照してください。本実施例の装着装置２０は筐体２１、プロセッサー２２、記憶ユニット２３、第一検知ユニット２４Ａ、第二検知ユニット２４Ｂ及び電源供給ユニット２５は筐体２１に配置され、第一検知ユニット２４Ａは筐体２１の第一面２１Ａに配置され、第二検知ユニット２４Ｂは筐体２１の第二面２１Ｂに配置されている。
【００４１】
上記内容を踏まえ、記憶ユニット２３はプロセッサー２２と接続し、第一検知ユニット２４Ａと第二検知ユニット２４Ｂはプロセッサー２２と接続する。第一検知ユニット２４Ａは第一検出値を出力して記憶ユニット２３に記憶することに適する。同様に、第二検知ユニット２４Ｂは第二検出値を出力して記憶ユニット２３に記憶することに適する。電源供給ユニット２５はプロセッサー２２、記憶ユニット２３、第一検知ユニット２４Ａ及び第二検知ユニット２４Ｂと接続する。特に、第二実施例において、プロセッサー２２は第一検出値と第二検出値を比較することによって、装着状態または非装着状態を行うことができる。
【００４２】
注意すべきなことは、第二実施例の装着装置２０は第一実施例の装着装置１０と類似し、主な違いは、第二実施例の装着装置２０は第一検知ユニット２４Ａ及び第二検知ユニット２４Ｂを有し、それぞれ第一検出値または第二検出値を出力して記憶ユニット２３に記憶することができる。詳しくいうと、第一検知ユニット２４Ａは例として筐体２１の人体に向かう面（２１Ａ）に配置されることによって人体との接触で人体の生理状態を感知し第一検出値を出力する。それに対して第二検知ユニット２４Ｂは例として筐体２１の人体と接しない面（２１Ｂ）に配置されることによって、環境状態を検知して第二検出値を出力する。
【００４３】
第一実施例の装着装置１０と同様に、第二実施例の装着装置２０において、第一検知ユニット２４Ａ及び第二検知ユニット２４Ｂは例として温度センサーであって、第一検出値と第二検出値は例として温度値である。そこでユーザーが本実施例の装着装置２０を装着する時に、第一検知ユニット２４Ａが出力する第一検出値は人体温度となり、第二検知ユニット２４Ｂが出力する第二検出値は環境温度参考値となる。そうすると、プロセッサー２２は第一検出値と第二検出値を比較してから、第一検出値は第二検出値と異なることに基づいて、装着装置１０は装着状態となっていると判断し、装着状態作業の第一アプリケーションを行う。
【００４４】
逆に、ユーザーが本実施例の装着装置２０を装着していない時に、第一検知ユニット２４Ａが出力した第一検出値と、第二検出ユニット２４Ｂが出力した第二検出値とも環境温度参考値となっている。そうすると、プロセッサー２２は第一検出値と第二検出値を比較してから、第一検出値は第二検出値と同じになることに基づいて、装着装置２０は非装着状態となっていると判断し、非装着状態作業の第二アプリケーションを行う。
【００４５】
同様に、本実施例の装着状態作業は第一アプリケーションの起動にも用いられ、第一アプリケーションは関連アプリケーションをリンクしてもよく、例えば人体生理機能モニタリングアプリケーション、または装着装置２０はスマートグラスとなっている時に、第一アプリケーションは仮想現実、仮想現実の拡充アプリケーション及び他の類似の関連アプリケーションとリンクできる。非装着状態作業は第二アプリケーションの起動に用いられ、第二アプリケーションは直接にハードウェアをチャットダウンしてもよく、例えばスクリーンを閉じ、または第二アプリケーションがスクリーンサーバー、電源管理アプリケーションまたは他の類似のアプリケーションをリンクしてもよい。他の第一アプリケーション及び第二アプリケーションが同一のアプリケーションまたは別々のアプリケーションを起動や中止する実施方法は第一実施例に述べた内容と同じため、ここでは省略する。
【００４６】
プロセッサー２２が第一検出値は第二検出値と同じになるかどうかに関して比較をしてから、装着状態を行う時には第一アプリケーションを起動する。一方、プロセッサー２２が非装着状態を行う時には第二アプリケーションを起動する。そうすると、第二実施例の装着装置２０が非装着状態となっている時に、第二アプリケーションは電源管理アプリケーションをリンクして起動し、電源供給ユニット２５に電源供給節約作業をさせる。本実施例の装着装置２０は非装着状態の時に電源の浪費を避けることができる。
【００４７】
装着装置１０とは同様に、ユーザーが本実施例の装着装置２０を使用する過程において、時々装着方法または不正確な位置によって装着状態判断が間違ってしまう。そのため、本実施例の装着装置２０は装着状態または非装着状態を行う前に警告メッセージを出してユーザーに知らせ、ユーザーに即時的に装着方法や装着位置を調整させ、さらに正確な検知結果を取得して有効な判断作業を得て、あるいは装着装置２０は省電力状態に入ったことをユーザーに知らせる。上記警告メッセージの例としては、音声メッセージ、発光メッセージ、テキストメッセージまたはバイブレーションメッセージなどのユーザーを知らせる警告方法となり得る。
【００４８】
本実施例の装着装置２０において、第一検知ユニット２４Ａと第二検知ユニット２４Ｂは圧力センサーであってもよい。そのため、ユーザーが本実施例の装着装置２０を装着する時に、第一検知ユニット２４Ａが検知した出力された第一検出値は、即ち大氣圧と人体が装着装置２０にかけた圧力の合計圧力となる。そのため、第一検知ユニット２４Ａが検知した第一検出値は、第二検知ユニット２４Ｂが検出した第二検出値（大氣圧）より大きく、さらに第一検出値は第二検出値と異なるとの比較によって装着装置２０は装着状態となっていると判断する。
【００４９】
ユーザーが本実施例の装着装置２０をまだ装着していない時に、第一検知ユニット２４Ａが検知した第一検出値と、第二検知ユニット２４Ｂが検知した第二検出値とも大気圧となっている。そのため、第一検知ユニット２４Ａが検知した第一検出値は第二検知ユニット２４Ｂが検知した第二検出値と同じ（両者とも大気圧である）になり、さらに第一検出値は第二検出値と同じになるとの比較によって装着装置２０は非装着状態となっていると判断する。
【００５０】
図６は図４の装着装置の検知方法のフローチャートである。本実施例の装着装置の検知方法は、下記ステップを含む。まずはステップS２１のように装着装置を提供する。前記装着装置はプロセッサー、記憶ユニット、第一検知ユニット、第二検知ユニット及び電源供給ユニットを含む。続いてステップS２２のように第一検知ユニットを実行することによって第一検出値を出力して前記記憶ユニットに記憶する。そしてステップS２３のように、前記第二検知ユニットを実行することによって第二検出値を出力して前記記憶ユニットに記憶する。その後は、ステップS２４のように前記プロセッサーによって前記第一検出値と前記第二検出値を比較することで装着状態または非装着状態を行う。勿論、前記非装着状態を行う前に警告メッセージを出してユーザーに知らせ、もしユーザーは装着方法または不正確な位置によって装着状態判断が間違ってしまえば、即時的に装着方法または装着位置を調整することができ、さらに正確な検知結果を取得して有効な判断作業を得ることができる。
【００５１】
上記を踏まえ、本発明のより望ましい第二実施例の検知ユニットは温度センサーを使用し、第一検知ユニットが出力する第一検出値は即ち人体温度であって、第二検知ユニットが出力する第二検出値は環境温度参考値である。それによって本発明が開示した第二実施例の装着装置は、第一実施例の装着装置と比べてより正確な装着状態及び非装着状態の確認ができる。よって、本発明は過去にユーザーは装着装置を正確に装着していないことで不正確な検知結果に導いて判断が間違う問題を解決し、さらにより正確な装着状態の確認ができ、省電力の効果を果たしている。
【００５２】
本発明の検知ユニットはまた容量式センサー、湿度センサー、超音波センサー、赤外線センサーまたは照度センサーであってもよい。その中に、比較の基準として、容量式センサーの場合は容量値の差であって、湿度センサーの場合は人体から出した熱であって、超音波センサーの場合は音波で、最寄の物体からエコーの受波であって、赤外線センサーの場合は電磁波であって、照度センサーの場合は光の照度である。検知ユニットの選択はユーザーがいかに運用することによるが、同じ技術内容の部分は省略し、本文はここに如何なる限定もしない。
【００５３】
上記内容を踏まえ、本発明が開示する実施例において、装着装置はプロセッサーによって一つの検知ユニットが出力する検出値と記憶ユニットに設けられたデフォルト値を比較する。または、人体と接する検知ユニットと、環境と接する検知ユニットが出力する検出値とを比較する。それによって装着状態または非装着状態を行い、さらに第一アプリケーションまたは第二アプリケーションを起動するのを判断する。よって、電源供給ユニットが非装着状態の時でも持続的に電力供給作業を行って電源を浪費することを避けられる。
【００５４】
勿論、ユーザーは使用過程において、時々装着方法また不正確な位置によって装着状態判断が間違ってしまう。例を挙げると、本発明の装着装置及びそれの検知方法はユーザーの生理的特徴の測定に用いられてもよく、さらにユーザーに自分の生理状態を理解させる。例えば睡眠測定アプリケーションにおける装着装置は、加速度センサーによってユーザーは装着しているかどうかを測定し、さらにユーザーの睡眠品質を評価する。しかし、この測定方法は、装着装置が人体に装着されていない時に、加速度センサーは静止状態となっており、装着装置はユーザーは睡眠状態となっていると誤判断し、測定の錯誤になってしまう。そのため、本発明の技術内容によれば、装着装置は正確に装着されているかどうかを判断することができる。また、本発明の装着装置は、装着状態または非装着状態を出す前に警告メッセージを出してユーザーに知らせて、即時的に装着方法または装着位置を調整させ、さらに正確な検知結果を取得して有効な判断作業を得ることができる。
【００５５】
本発明の実施例説明は上記通りである。ただし、本発明が主張する特許権利範囲を限定するためではない。その特許保護権利範囲は、後の請求範囲及びそれの同一技術内容によって定める。この領域の通常知識技術者は本特許の旨や範囲以内に行った変更や修正は、本発明開示の旨に基づいて完成した実質的同一変更または設計は、下記特許権利の範囲に含まれるべきである。
【符号の説明】
【００５６】
１０、２０  装着装置
１１、２１  筐体
１２、２２  プロセッサー
１３、２３  記憶ユニット
１４、２４Ａ、２４Ｂ  検知ユニット
１５、２５  電源供給ユニット
２１Ａ  第一面
２１Ｂ  第二面
Ｓ１１〜S１４、S２１〜S２４  ステップ
【図１】
0006355208.tif 000002
【図２】
0006355208.tif 000003
【図３】
0006355208.tif 000004
【図４】
0006355208.tif 000005
【図５】
0006355208.tif 000006
【図６】
0006355208.tif 000007